(57)【要約】【課題】  メニュー画面を介して携帯電話機の各種機能を利用する場合の操作性の向上を図ることができるメニュー情報管理方法を提供する。【解決手段】  利用者ごとに又は利用者が使用する携帯電話機３０ごとに、携帯電話機３０で使用するメニュー情報を利用者識別情報又は端末識別情報に関連付けて、携帯電話通信網５０上のコンテンツメニューサーバ１５にあるメニュー情報データベースに登録する。次に、メニュー情報の取得を要求するメニュー情報取得要求を携帯電話通信網５０を介して携帯電話機３０から受信する。次に、上記メニュー情報取得要求を送信してきた携帯電話機３０に対応するメニュー情報を上記メニュー情報データベースから読み出し、携帯電話通信網５０を介して携帯電話機３０に送信する。【選択図】  図１
2008109704.tif 000002
【特許請求の範囲】
【請求項１】
複数の移動体通信端末のメニュー画面に表示するメニュー情報を管理するメニュー情報管理方法であって、
利用者ごとに又は該利用者が使用する移動体通信端末ごとに、該移動体通信端末で使用するメニュー情報を利用者識別情報又は端末識別情報に関連付けて、移動体通信ネットワーク上のメニュー情報データベースに登録するステップと、
メニュー情報の取得を要求するメニュー情報取得要求を移動体通信ネットワークを介して上記移動体通信端末から受信するステップと、
上記メニュー情報取得要求を送信してきた移動体通信端末に対応するメニュー情報を上記メニュー情報データベースから読み出し、移動体通信ネットワークを介して該移動体通信端末に送信するステップとを有することを特徴とするメニュー情報管理方法。
【請求項２】
請求項１のメニュー情報管理方法において、
上記移動体通信端末の利用者の本人確認に用いる本人認証用情報をインターネットを介して情報通信端末から受信するステップと、
上記本人認証用情報に基づいて上記移動体通信端末の利用者本人か否かを確認するための認証処理を実行するステップと、
上記移動体通信端末のメニュー画面に追加して表示する追加メニュー情報をインターネットを介して上記情報通信端末から受信するステップと、
上記認証処理で利用者本人であることが確認された場合にのみ、上記追加メニュー情報を上記識別情報と関連付けて上記メニュー情報データベースに登録するステップとを有することを特徴とするメニュー情報管理方法。
【請求項３】
請求項１のメニュー情報管理方法において、
移動体通信端末の利用者の本人確認に用いる本人認証用情報をインターネットを介して情報通信端末から受信するステップと、
上記本人認証用情報に基づいて上記移動体通信端末の利用者本人か否かを確認するための認証処理を実行するステップと、
上記移動体通信端末のメニュー画面に表示するメニュー情報を編集するための編集内容をインターネットを介して上記情報通信端末から受信するステップと、
上記認証処理で利用者本人であることが確認された場合にのみ、上記編集内容に基づいて、上記メニュー情報データベースに登録されている上記移動体通信端末に対応するメニュー情報を編集するステップとを有することを特徴とするメニュー情報管理方法。
【請求項４】
請求項１のメニュー情報管理方法において、
移動体通信端末のメニュー画面に追加して表示する追加メニュー情報を移動体通信ネットワークを介して該移動体通信端末から受信するステップと、
上記追加メニュー情報を上記識別情報と関連付けて上記メニュー情報データベースに登録するステップとを有することを特徴とするメニュー情報管理方法。
【請求項５】
請求項１のメニュー情報管理方法において、
移動体通信端末のメニュー画面に表示するメニュー情報を編集するための編集内容を移動体通信ネットワークを介して該移動体通信端末から受信するステップと、
上記編集内容に基づいて、上記メニュー情報データベースに登録されている上記移動体通信端末に対応するメニュー情報を編集するステップとを有することを特徴とするメニュー情報管理方法。
【請求項６】
請求項２乃至５のいずれかのメニュー情報管理方法において、
上記メニュー情報は、上記通信ネットワーク上で提供されているコンテンツのタイトル情報と該コンテンツを提供しているコンテンツ提供サイトへ上記移動体通信端末から接続するためのリンク情報とを含むコンテンツメニュー情報であり、
上記情報通信端末又は上記移動体通信端末に、上記利用者の属性の診断に用いる属性診断データを入力するための診断テスト画面データを送信するステップと、
上記情報通信端末又は上記移動体通信端末から、上記利用者が入力した上記属性診断データを受信するステップと、
上記属性診断データに基づいて、上記利用者の属性を決定して該利用者を分類するステップと、
上記利用者の分類結果に基づいて、該利用者の属性に合致するコンテンツ群のタイトルを一覧表示するためのコンテンツ一覧情報を作成するステップと、
上記情報通信端末又は上記移動体通信端末に、上記コンテンツ一覧情報を送信するステップと、
上記情報通信端末又は上記移動体通信端末から、上記利用者が上記コンテンツ群から選択したコンテンツ選択情報を受信するステップと、
上記コンテンツ選択情報に基づいて作成したコンテンツメニュー情報を、上記識別情報と関連付けて上記メニュー情報データベースに登録するステップとを有することを特徴とするメニュー情報管理方法。
【請求項７】
請求項６のメニュー情報管理方法において、
上記移動体通信ネットワーク上の移動体通信端末の利用者情報を登録している利用者総合データベースから、上記属性診断データを送信してきた移動体通信端末の利用者に関する利用者情報を取得するステップを有し、
上記コンテンツ一覧情報の作成を、上記利用者の分類結果と上記利用者情報とに基づいて行うことを特徴とするメニュー情報管理方法。
【請求項８】
請求項２乃至５のいずれかのメニュー情報管理方法において、
上記メニュー情報は、上記通信ネットワーク上で提供されているコンテンツのタイトル情報と該コンテンツを提供しているコンテンツ提供サイトへ上記移動体通信端末から接続するためのリンク情報とを含むコンテンツメニュー情報であり、
上記情報通信端末又は上記移動体通信端末に、上記利用者が選択可能なコンテンツ群のタイトルを一覧表示するためのコンテンツガイド情報を送信するステップと、
上記情報通信端末又は上記移動体通信端末から、上記利用者が上記コンテンツ群から選択したコンテンツ選択情報を受信するステップと、
上記コンテンツ選択情報に基づいて作成したコンテンツメニュー情報を、上記識別情報と関連付けて上記メニュー情報データベースに登録するステップとを有することを特徴とするメニュー情報管理方法。
【請求項９】
請求項２乃至５のいずれかのメニュー情報管理方法において、
上記メニュー情報は、上記通信ネットワーク上で提供されているコンテンツのタイトル情報と該コンテンツを提供しているコンテンツ提供サイトへ上記移動体通信端末から接続するためのリンク情報とを含むコンテンツメニュー情報であり、
上記情報通信端末又は上記移動体通信端末に、上記ネットワーク上で提供されているコンテンツ群のタイトルを利用回数順に並べたコンテンツランキング情報を送信するステップと、
上記情報通信端末又は上記移動体通信端末から、上記利用者が上記コンテンツ群から選択したコンテンツ選択情報を受信するステップと、
上記コンテンツ選択情報に基づいて作成したコンテンツメニュー情報を、上記識別情報と関連付けて上記メニュー情報データベースに登録するステップとを有することを特徴とするメニュー情報管理方法。
【請求項１０】
請求項９のメニュー情報管理方法において、
上記コンテンツランキング情報は、上記移動体通信端末の利用者の属性別に上記コンテンツ群のタイトルを利用回数順に並べたものであることを特徴とするメニュー情報管理方法。
【請求項１１】
請求項１乃至１０のいずれかのメニュー情報管理方法において、
上記メニュー情報は、上記通信ネットワーク上で提供されているコンテンツのタイトル情報と該コンテンツを提供しているコンテンツ提供サイトへ接続するためのリンク情報とを含むコンテンツメニュー情報であり、
上記リンク情報の変更に関するリンク変更情報を受信するステップと、
上記リンク変更情報に基づいて、上記メニュー情報データベースに登録されている上記コンテンツメニュー情報における上記リンク情報を修正するステップとを有することを特徴とするメニュー情報管理方法。
【請求項１２】
請求項１乃至１０のいずれかのメニュー情報管理方法において、
上記移動体通信端末の現在位置を示す位置情報を取得するステップと、
上記位置情報に基づいて、上記メニュー情報データベースに登録されている上記メニュー情報を、上記現在位置に関連したメニュー情報に修正するステップとを有することを特徴とするメニュー情報管理方法。
【発明の詳細な説明】
【技術分野】
【０００１】
本発明は、携帯電話機等の移動体通信端末のメニュー画面に表示するメニュー情報を管理するメニュー情報管理方法に関するものである。
【背景技術】
【０００２】
従来、携帯電話機等の移動体通信端末として、その端末で利用可能な各種機能を選択して利用するためのメニュー情報を多階層構造で表示するものが知られている。利用者は、上記多階層構造のトップメニューからサブメニューへメニュー画面を切り換え、最終メニュー画像上で所望の機能を選択するように操作する。例えば、移動体通信ネットワークやインターネット上にあるコンテンツ提供サイトから画像、音楽、プログラム等のコンテンツをダウンロードするコンテンツ取得機能を利用する場合は、次のように操作する。まず、利用者は、コンテンツ関連のトップメニューをディスプレイに表示する。このトップメニューからその下位階層のサブメニューにメニュー画面を順次切り換え、希望のコンテンツ一覧があるコンテンツメニュー情報が表示された最終メニュー画面に移動する。この最終メニュー画面上で希望のコンテンツのタイトル（リンク画像）を選択することにより、そのコンテンツを提供しているコンテンツ提供サイトにアクセスする。コンテンツ提供サイトからダウンロードしたコンテンツは、ディプレイ上に表示したり内部メモリに保存したりすることができる。
【発明の開示】
【発明が解決しようとする課題】
【０００３】
ところが、上記従来の移動体通信端末では、コンテンツ取得機能等の各種機能を実際に利用できる最終メニュー画面に到達するまでに、メニュー画面を切り換えるという煩雑な操作が必要になるという問題点があった。この煩雑な操作のため、利用者によってはコンテンツ取得機能等の機能を利用すること自体をあきらめてしまうこともあった。
なお、従来の移動体通信端末として、ＷＷＷページにアクセスできるＷＷＷアクセス機能を有し、所望のＷＷＷページへ簡単な操作でアクセスできるように接続先のリンク情報（ＵＲＬ：Uniform Resource Locator）をブックマーク登録できるものがあった。この場合、登録した接続先のタイトルを一覧表示したブックマークリスト画面が前述の最終メニュー画面に相当する。このブックマークリスト画面のタイトル情報及びリンク情報は互いに関連付けられ、メニュー情報として移動体通信端末の内部メモリーに保存され、その後のアクセス時に使用される。しかしながら、従来の移動体通信端末においては、利用者が複数の移動体通信端末を同時期に使用したり移動体通信端末の機種変更をしたりする場合に、一方の移動体通信端末の内部メモリに保存されているブックマークのメニュー情報を他の移動体通信端末の内部メモリに移すことができなかった。また、移動体通信端末でブックマーク登録したＷＷＷページのＵＲＬが、その登録後に変更される場合があった。この場合は、上記ブックマークに登録されているリンク情報（ＵＲＬ）をそのまま用いてアクセスしようとしても所望のＷＷＷページにアクセスできず、ブックマーク登録をやり直す操作を行う必要があった。
【０００４】
本発明は以上の問題点に鑑みなされたものである。その目的は、メニュー画面を介して移動体通信端末の各種機能を利用する場合の操作性の向上を図ることができるメニュー情報管理方法を提供することである。
【課題を解決するための手段】
【０００５】
上記目的を達成するために、請求項１の発明は、複数の移動体通信端末のメニュー画面に表示するメニュー情報を管理するメニュー情報管理方法であって、利用者ごとに又は該利用者が使用する移動体通信端末ごとに、該移動体通信端末で使用するメニュー情報を利用者識別情報又は端末識別情報に関連付けて、移動体通信ネットワーク上のメニュー情報データベースに登録するステップと、メニュー情報の取得を要求するメニュー情報取得要求を移動体通信ネットワークを介して上記移動体通信端末から受信するステップと、上記メニュー情報取得要求を送信してきた移動体通信端末に対応するメニュー情報を上記メニュー情報データベースから読み出し、移動体通信ネットワークを介して該移動体通信端末に送信するステップとを有することを特徴とするものである。
このメニュー情報管理方法では、複数の移動体通信端末で使用するメニュー情報を、移動体通信ネットワーク上のメニュー情報データベースに登録することにより、移動体通信ネットワーク側で一元的に管理することができる。また、このメニュー情報の登録は、利用者ごとに又はその利用者が使用する移動体通信端末ごとに行うので、利用者による移動体通信端末の利用形態に合わせて独自に設定したメニュー情報を登録することができる。更に、移動体通信端末から任意のタイミングでメニュー情報取得要求を送信すると、各移動体通信端末で使用するメニュー情報がメニュー情報データベースから読み出され、移動体通信ネットワークを介して各移動体通信端末に送信される。このメニュー情報データベースからのメニュー情報を移動体通信端末で受信し、メニュー画面に表示して使用することができる。
【０００６】
また、請求項２の発明は、請求項１のメニュー情報管理方法において、上記移動体通信端末の利用者の本人確認に用いる本人認証用情報をインターネットを介して情報通信端末から受信するステップと、上記本人認証用情報に基づいて上記移動体通信端末の利用者本人か否かを確認するための認証処理を実行するステップと、上記移動体通信端末のメニュー画面に追加して表示する追加メニュー情報をインターネットを介して上記情報通信端末から受信するステップと、上記認証処理で利用者本人であることが確認された場合にのみ、上記追加メニュー情報を上記識別情報と関連付けて上記メニュー情報データベースに登録するステップとを有することを特徴とするものである。
このメニュー情報管理方法では、情報通信端末からインターネットを介して送信されてきた本人認証用情報に基づいて移動体通信端末の利用者本人であるか否かを確認する認証処理を行う。この認証処理で利用者本人であることが確認された場合にのみ、上記情報通信端末から送信されてきた追加メニュー情報を、その移動体通信端末に対応する上記識別情報と関連付けてメニュー情報データベースに登録する。
【０００７】
また、請求項３の発明は、請求項１のメニュー情報管理方法において、移動体通信端末の利用者の本人確認に用いる本人認証用情報をインターネットを介して情報通信端末から受信するステップと、上記本人認証用情報に基づいて上記移動体通信端末の利用者本人か否かを確認するための認証処理を実行するステップと、上記移動体通信端末のメニュー画面に表示するメニュー情報を編集するための編集内容をインターネットを介して上記情報通信端末から受信するステップと、上記認証処理で利用者本人であることが確認された場合にのみ、上記編集内容に基づいて、上記メニュー情報データベースに登録されている上記移動体通信端末に対応するメニュー情報を編集するステップとを有することを特徴とするものである。
このメニュー情報管理方法では、上記認証処理で利用者本人であることが確認された場合にのみ、上記情報通信端末から送信されてきた編集内容に基づいて、メニュー情報データベースに登録されている、その移動体通信端末に対応するメニュー情報を編集する。
【０００８】
また、請求項４の発明は、請求項１のメニュー情報管理方法において、移動体通信端末のメニュー画面に追加して表示する追加メニュー情報を移動体通信ネットワークを介して該移動体通信端末から受信するステップと、上記追加メニュー情報を上記識別情報と関連付けて上記メニュー情報データベースに登録するステップとを有することを特徴とするものである。
このメニュー情報管理方法では、セキュリティが確保されている移動体通信端末から移動体通信ネットワークを介して送信されてきた追加メニュー情報を、その移動体通信端末に対応する上記識別情報と関連付けてメニュー情報データベースに登録する。
【０００９】
また、請求項５の発明は、請求項１のメニュー情報管理方法において、移動体通信端末のメニュー画面に表示するメニュー情報を編集するための編集内容を移動体通信ネットワークを介して該移動体通信端末から受信するステップと、上記編集内容に基づいて、上記メニュー情報データベースに登録されている上記移動体通信端末に対応するメニュー情報を編集するステップとを有することを特徴とするものである。
このメニュー情報管理方法では、セキュリティが確保されている移動体通信端末から移動体通信ネットワークを介して送信されてきた編集内容に基づいて、メニュー情報データベースに登録されている、その移動体通信端末に対応するメニュー情報を編集する。
【００１０】
また、請求項６の発明は、請求項２乃至５のいずれかのメニュー情報管理方法において、上記メニュー情報は、上記通信ネットワーク上で提供されているコンテンツのタイトル情報と該コンテンツを提供しているコンテンツ提供サイトへ上記移動体通信端末から接続するためのリンク情報とを含むコンテンツメニュー情報であり、上記情報通信端末又は上記移動体通信端末に、上記利用者の属性の診断に用いる属性診断データを入力するための診断テスト画面データを送信するステップと、上記情報通信端末又は上記移動体通信端末から、上記利用者が入力した上記属性診断データを受信するステップと、上記属性診断データに基づいて、上記利用者の属性を決定して該利用者を分類するステップと、上記利用者の分類結果に基づいて、該利用者の属性に合致するコンテンツ群のタイトルを一覧表示するためのコンテンツ一覧情報を作成するステップと、上記情報通信端末又は上記移動体通信端末に、上記コンテンツ一覧情報を送信するステップと、上記情報通信端末又は上記移動体通信端末から、上記利用者が上記コンテンツ群から選択したコンテンツ選択情報を受信するステップと、上記コンテンツ選択情報に基づいて作成したコンテンツメニュー情報を、上記識別情報と関連付けて上記メニュー情報データベースに登録するステップとを有することを特徴とするものである。
このメニュー情報管理方法では、情報通信端末又は移動体通信端末において、診断テスト画面データに基づいて表示した診断テスト画面から、利用者の属性の診断に用いる属性診断データを入力する。この属性診断データに基づいて利用者の属性を決定して利用者を分類する。この利用者の分類結果に基づいて、利用者の属性に合致するコンテンツ群、すなわちその利用者が選択する可能性が高いコンテンツ群やその利用者にふさわしいコンテンツ群のタイトルを一覧表示するためのコンテンツ一覧情報を作成し、上記情報通信端末又は移動体通信端末に送信する。このコンテンツ一覧情報を受信した情報通信端末又は移動体通信端末に、その利用者の属性に合致したコンテンツ群が表示されるため、利用者が選択する可能性が高いコンテンツ群や利用者にふさわしいコンテンツ群の中から、コンテンツメニュー情報に登録するコンテンツを選択することができる。このコンテンツ群から利用者が選択したコンテンツ選択情報を上記情報通信端末又は移動体通信端末から受信すると、そのコンテンツ選択情報に基づいて作成したコンテンツメニュー情報が、上記識別情報と関連付けてメニュー情報データベースに登録される。
【００１１】
また、請求項７の発明は、請求項６のメニュー情報管理方法において、上記移動体通信ネットワーク上の移動体通信端末の利用者情報が登録されている利用者総合データベースから、上記属性診断データを送信してきた移動体通信端末の利用者に関する利用者情報を取得するステップを有し、上記コンテンツ一覧情報の作成を、上記利用者の分類結果と上記利用者情報とに基づいて行うことを特徴とするものである。
このメニュー情報管理方法では、上記コンテンツ一覧情報を作成するときに、利用者が入力した属性診断データに基づいて利用者の属性を決定して分類した利用者の分類結果に加えて、利用者総合データベースから取得したその利用者に関する利用者情報を用いる。このように上記利用者の分類結果に加えて、利用者総合データベースから取得したその利用者に関する利用者情報を用いることにより、利用者が選択する可能性が高いコンテンツ群を高い精度で作成することができる。
【００１２】
また、請求項８の発明は、請求項２乃至５のいずれかのメニュー情報管理方法において、上記メニュー情報は、上記通信ネットワーク上で提供されているコンテンツのタイトル情報と該コンテンツを提供しているコンテンツ提供サイトへ上記移動体通信端末から接続するためのリンク情報とを含むコンテンツメニュー情報であり、上記情報通信端末又は上記移動体通信端末に、上記利用者が選択可能なコンテンツ群のタイトルを一覧表示するためのコンテンツガイド情報を送信するステップと、上記情報通信端末又は上記移動体通信端末から、上記利用者が上記コンテンツ群から選択したコンテンツ選択情報を受信するステップと、上記コンテンツ選択情報に基づいて作成したコンテンツメニュー情報を、上記識別情報と関連付けて上記メニュー情報データベースに登録するステップとを有することを特徴とするものである。
このメニュー情報管理方法では、コンテンツガイド情報を受信した情報通信端末又は移動体通信端末に、利用者が選択可能なコンテンツ群のタイトルが一覧表示される。利用者は、この一覧表示したコンテンツ群の中から、コンテンツメニュー情報に登録するコンテンツを選択することができる。このコンテンツ群から利用者が選択したコンテンツ選択情報を上記情報通信端末又は移動体通信端末から受信すると、そのコンテンツ選択情報に基づいて作成したコンテンツメニュー情報が、上記識別情報と関連付けてメニュー情報データベースに登録される。
【００１３】
また、請求項９の発明は、請求項２乃至５のいずれかのメニュー情報管理方法において、上記メニュー情報は、上記ネットワーク上で提供されているコンテンツのタイトル情報と該コンテンツを提供しているコンテンツ提供サイトへ上記移動体通信端末から接続するためのリンク情報とを含むコンテンツメニュー情報であり、上記情報通信端末又は上記移動体通信端末に、上記ネットワーク上で提供されているコンテンツ群のタイトルを利用回数順に並べたコンテンツランキング情報を送信するステップと、上記情報通信端末又は上記移動体通信端末から、上記利用者が上記コンテンツ群から選択したコンテンツ選択情報を受信するステップと、上記コンテンツ選択情報に基づいて作成したコンテンツメニュー情報を、上記識別情報と関連付けて上記メニュー情報データベースに登録するステップとを有することを特徴とするものである。
このメニュー情報管理方法では、コンテンツランキング情報を受信した情報通信端末又は移動体通信端末に、ネットワーク上で提供されているコンテンツ群のタイトルが利用回数順に並べて一覧表示される。すなわち、多数の利用者で人気の高い順番にコンテンツ群のタイトルが一覧表示される。利用者は、この一覧表示したコンテンツ群の中から、コンテンツメニュー情報に登録するコンテンツを選択することができる。このコンテンツ群から利用者が選択したコンテンツ選択情報を上記情報通信端末又は移動体通信端末から受信すると、そのコンテンツ選択情報に基づいて作成したコンテンツメニュー情報が、上記識別情報と関連付けてメニュー情報データベースに登録される。
【００１４】
また、請求項１０の発明は、請求項９のメニュー情報管理方法において、上記コンテンツランキング情報は、上記移動体通信端末の利用者の属性別に上記コンテンツ群のタイトルを利用回数順に並べたものであることを特徴とするものである。
このメニュー情報管理方法では、上記利用回数順に並べたコンテンツ群のタイトルの一覧表示が、利用者の属性別に行われるので、利用者が選択する可能性が高いコンテンツ群の範囲内で人気の高いコンテンツを選択し、そのコンテンツのタイトル及びリンク情報を含むコンテンツメニュー情報を登録できる。
また、請求項１１の発明は、請求項１乃至１０のいずれかのメニュー情報管理方法において、上記メニュー情報は、上記通信ネットワーク上で提供されているコンテンツのタイトル情報と該コンテンツを提供しているコンテンツ提供サイトへ接続するためのリンク情報とを含むコンテンツメニュー情報であり、上記リンク情報の変更に関するリンク変更情報を取得するステップと、上記リンク変更情報に基づいて、上記メニュー情報データベースに登録されている上記コンテンツメニュー情報における上記リンク情報を修正するステップとを有することを特徴とするものである。
このメニュー情報管理方法では、コンテンツ提供サイトへ接続するためのリンク情報が変わると、そのリンク情報の変更に関するリンク変更情報が取得される。このリンク変更情報に基づいて、その移動体通信端末についてメニュー情報データベースに保存されているコンテンツメニュー情報におけるリンク情報が自動的に修正される。
【００１５】
また、請求項１２の発明は、請求項１乃至１０のいずれかのメニュー情報管理方法において、上記移動体通信端末の現在位置を示す位置情報を取得するステップと、上記位置情報に基づいて、上記メニュー情報データベースに保存されている上記メニュー情報を、上記現在位置に関連したメニュー情報に修正するステップとを有することを特徴とするものである。
このメニュー情報管理方法では、移動体通信端末の現在位置が変わると、その移動体通信端末の現在位置を示す位置情報が取得される。この位置情報に基づいて、その移動体通信端末についてメニュー情報データベースに保存されているメニュー情報が、その現在位置に関連したメニュー情報に自動的に修正される。
【００１６】
なお、上記「移動体通信端末」には、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機が含まれる。また、「情報通信端末」には、ＰＨＳ（Personal Handyphone Service）、自動車電話等の電話機のほか、携帯電話モジュールを付加した情報通信端末も含まれる。
また、上記「情報通信端末」には、パーソナルコンピュータや携帯電話機のほか、インターネットに接続して各種サービスを受けることができる各種の端末が含まれる。
また、上記認証支援システムにおける情報処理は、その認証支援システムを構成するコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【発明の効果】
【００１７】
請求項１乃至１２の発明によれば、複数の移動体通信端末で使用するメニュー情報を、移動体通信ネットワーク側で一元的に管理することができるので、各移動体通信端末で使用するメニュー情報に共通する修正部分が生じた場合には、利用者側での操作を行うことなく、各メニュー情報の修正部分を一括して修正することができる。しかも、利用者による移動体通信端末の利用形態に合わせて独自に設定したメニュー情報を、その利用者の移動体通信端末に呼び出しメニュー画面に表示して使用することができるので、メニュー画面を介して移動体通信端末の各種機能を利用するときの操作性が向上する。以上のように、メニュー画面を介して移動体通信端末の各種機能を利用する場合の操作性の向上を図ることができるという効果が得られる。
特に、請求項２の発明によれば、操作性に優れたパーソナルコンピュータから汎用性の高いインターネットを介して、セキュリティを確保しつつ、メニュー情報データベースに追加メニュー情報を登録できるという効果がある。
特に、請求項３の発明によれば、操作性に優れたパーソナルコンピュータから汎用性の高いインターネットを介して、セキュリティを確保しつつ、メニュー情報データベースに登録されているメニュー情報を編集できるという効果がある。
特に、請求項４の発明によれば、セキュリティが確保されている移動体通信端末から移動体通信ネットワークを介して、メニュー情報データベースに追加メニュー情報を直接登録できるという効果がある。
特に、請求項５の発明によれば、セキュリティが確保されている移動体通信端末から移動体通信ネットワークを介して、メニュー情報データベースに登録されているメニュー情報を直接編集できるという効果がある。
特に、請求項６の発明によれば、利用者が選択する可能性が高いコンテンツ群や利用者にふさわしいコンテンツ群のタイトルを情報通信端末又は移動体通信端末上に一覧表示し、その中からコンテンツメニュー情報に登録するコンテンツを選択することができるので、利用者によるコンテンツ選択作業の効率が向上するという効果がある。
特に、請求項７の発明によれば、利用者の分類結果に加えて、利用者総合データベースから取得したその利用者に関する利用者情報を用いることにより、利用者が選択する可能性が高いコンテンツ群を高い精度で作成することができるという効果がある。
特に、請求項８の発明によれば、利用者の移動体通信端末又は情報通信端末に、特定のコンテンツ群のタイトルを一覧表示することにより、そのコンテンツ群の中から、利用者にコンテンツメニュー情報として選択するように促すことができるという効果がある。
特に、請求項９の発明によれば、多数の利用者の間で人気の高いコンテンツのタイトル情報とリンク情報とを含むをコンテンツメニュー情報を簡易に選択して登録できるという効果がある。
特に、請求項１０の発明によれば、利用者が選択する可能性が高いコンテンツ群の範囲内で人気の高いコンテンツのタイトル及びリンク情報を含むコンテンツメニュー情報を簡易に選択して登録できるという効果がある。
特に、請求項１１の発明によれば、コンテンツ提供サイトへ接続するためのリンク情報が変わったときでも、その移動体通信端末についてメニュー情報データベースに保存されているコンテンツメニュー情報におけるリンク情報が自動的に修正されるので、当該コンテンツ提供サイトへの接続が可能になるという効果がある。
特に、請求項１２の発明によれば、移動体通信端末の現在位置が変わったときに、その移動体通信端末について保存されているメニュー情報が、その現在位置に関連したメニュー情報に自動修正されるので、現在位置に対応したメニュー情報の表示が可能になるという効果がある。
【発明を実施するための最良の形態】
【００１８】
以下、本発明を移動体通信端末としての携帯電話機のメニュー画面に表示するコンテンツメニュー情報を管理するメニュー情報管理方法及びそのシステムに適用した実施形態について説明する。
図１は、本発明の実施形態に係るメニュー情報管理方法を実現するための全体システムを示す概念図である。本実施形態に係るメニュー情報管理方法は、自宅や勤務先にある情報通信端末としてのパーソナルコンピュータ（以下「パソコン」という。）２０等からインターネット４０を介して、携帯電話機３０で使用するコンテンツメニュー情報を追加したり編集したりするのを管理するものである。このコンテンツメニュー情報の追加・編集を可能にするサービスは、インターネット４０上であらかじめ登録されている特定の利用者のみが利用できるものである。      
【００１９】
上記メニュー情報管理方法を実現するために、携帯電話通信事業者側にメニュー情報管理システム１０が設けられている。この認証支援システム１０は、上記サービスの提供を支援するサービス提供支援システムとしても兼用され、一般公開用ＷＥＢサーバ１１、携帯電話機用ＷＥＢサーバ１２、登録・認証サーバ１３、利用者情報ＤＢ（データベース）サーバ１４、コンテンツメニュー情報管理装置としてのコンテンツメニューサーバ１５、図示しないルータやファイヤーウォール等で構成されている。一般公開用ＷＥＢサーバ１１はインターネット４０に公開されインターネット上の一般利用者からアクセス可能になっている。携帯電話機用ＷＥＢサーバ１２は、移動体通信端末としての携帯電話機３０の利用者のみがアクセス可能なＷＥＢサーバであり、携帯電話機３０の利用者のみが利用可能な各種サービスを提供している。
登録・認証サーバ１３は、一般公開用ＷＥＢサーバ１１及び携帯電話機用ＷＥＢサーバ１２から受け渡された利用者の情報に基づいて各サービスの利用者の新規登録処理、登録内容の追加・変更・削除処理、利用者の本人認証処理などを実行する。
利用者情報ＤＢサーバ１４は、各利用者の氏名、利用者ＩＤ（利用者識別情報）、携帯電話機の端末識別番号（端末識別情報）、住所、メールアドレス（電子メール、携帯メール）、性別、生年月日、職業などの各種情報を体系的に保存した利用者データベースが構築されている。ここで、上記「端末識別番号」とは、携帯電話機の移動機番号、加入者番号、製造番号、プロダクトサービスキー番号などの、携帯電話機を一意に特定できる番号である。この利用者情報ＤＢサーバ１４は、登録・認証サーバ１３からの登録処理指令を受けて各利用者の情報を登録したり、登録・認証サーバ１３からの問い合わせ指令を受けて特定の利用者の情報を読み出して登録・認証サーバ１３へ返したりする。
メニュー情報ＤＢサーバ１５は、複数の携帯電話機のメニュー画面に表示して使用されるメニュー情報を一元的に管理するものであり、各携帯電話機のメニュー情報を体系的に保存したメニュー情報データベースが構築されている。このメニュー情報データベースには、利用者ごとに又は利用者が使用する携帯電話機ごとに、移動体通信端末で使用するメニュー情報が、携帯電話機を識別するための端末識別情報としての端末識別番号に関連付けられて登録されている。なお、携帯電話機で使用するメニュー情報は、上記端末識別番号（端末識別情報）の代わりに、その携帯電話機の利用者を識別する利用者識別情報としての利用者ＩＤに関連付けて登録するようにしてもよい。
各サーバは、単体のコンピュータ装置で構成してもいいし、複数の機能をそれぞれ受け持つ複数台のコンピュータをネットワークで結んで構成してもよい。
【００２０】
各利用者は、自宅や勤務先にあるパソコン２０等からインターネット４０を介して一般公開用ＷＥＢサーバ１１にアクセスし、一般利用者用の各種サービスを受けることができる。各利用者は、携帯電話機３０から移動体通信ネットワークとしての携帯電話通信網５０からゲートウェイ装置４１、５１及びインターネット４０を経由することによって一般公開用ＷＥＢサーバ１１にアクセスすることもできる。また、各利用者は、携帯電話通信網５０を介して携帯電話機用ＷＥＢサーバ１２にアクセスして携帯電話機利用者専用の各種サービスを受けることもできる。携帯電話通信網５０は基地局、交換機、専用線等で構成されている。
【００２１】
図２は、本実施形態のメニュー情報管理システム１０から携帯電話機３０にコンテンツメニュー情報をダウンロードするとき処理の一例を示すシーケンス図である。
ここで、コンテンツメニュー情報は、インターネット４０や携帯電話通信網５０などの通信ネットワーク上で提供されているコンテンツのタイトル情報を一覧表示するため情報である。このコンテンツメニュー情報は、コンテンツのタイトル情報とコンテンツを提供しているコンテンツ提供サイトへ携帯電話機３０から接続するためのリンク情報とを含む。また、コンテンツは、携帯電話機３０へ表示したり出力したり保存したりすることによって利用者が利用可能な各種情報のデータであり、文字情報、音情報、画像情報、アプリケーションプログラムファイル等が含まれる。また、音情報としては、音楽ファイルのほか、着信メロディの情報や、音声サービスの情報などもある。また、画像情報しては、メールやグリーティングカードのサービスで受け取った画像等のデータを通信ネットワーク上で整理してアルバムのように一覧表示できるようにしたものもある。
まず、利用者が携帯電話機３０の所定のメニュー画面に表示するコンテンツメニュー情報を更新する操作を行うと、携帯電話機３０から携帯電話通信網５０を介して携帯電話機用ＷＥＢサーバ１２へ、携帯電話機３０の端末識別番号とともにメニュー情報取得要求が送信される。
上記メニュー情報取得要求等を受信した携帯電話機用ＷＥＢサーバ１２は、携帯電話機３０から受信したメニュー情報取得要求等のデータを登録・認証サーバ１３へ送る。登録・認証サーバ１３は、端末識別番号に基づいて認証処理を行った後、メニュー情報取得要求等のデータをメニュー情報ＤＢサーバ１５に転送する。
上記メニュー情報取得要求等を受信したメニュー情報ＤＢサーバ１５は、端末識別番号に基づいて、メニュー情報取得要求を送信してきた携帯電話機３０に対応する自分専用のコンテンツメニュー情報をメニュー情報ＤＢサーバ１５に構築されたメニュー情報データベースから読み出す。このメニュー情報ＤＢサーバ１５内のコンテンツメニュー情報は、後述のようにパソコンからインターネット４０を介して新規登録したり編集したりすることができる。上記メニュー情報データベースから読み出したコンテンツメニュー情報は、登録・認証サーバ１３、携帯電話機用ＷＥＢサーバ１２及び携帯電話通信網５０を経由して携帯電話機３０に送信される。
携帯電話機３０は、受信したコンテンツメニュー情報を内部メモリの所定の領域に保存する。このコンテンツメニュー情報は、利用者が自分のお気に入りのコンテンツリストのメニューをメニュー画面上に表示するときに、内部メモリから読み出される。
なお、図２の例では、利用者がコンテンツメニュー情報の更新操作を行ったときに、メニュー情報ＤＢサーバ１５からコンテンツメニュー情報をダウンロードして保存しているが、予め設定した定期的なタイミングや、携帯電話機の電源をＯＮしたタイミングにダウンロードして保存するようにしてもよい。このコンテンツメニュー情報の更新タイミングは、携帯電話機３０の使用形態などに応じて設定される。
【００２２】
図３は、本実施形態のメニュー情報登録・編集サービスを受ける前に実行される利用者登録処理、パスワード取得処理及びサービス利用開始処理の一例を示すシーケンス図である。
まず、利用者が上記サービスを受けるための新規利用者登録（新規会員登録）を行うときは、パソコン２０から図４のログインのＷＥＢページにアクセスし、このＷＥＢページ上で「新規会員登録はこちら」のボタンをクリックすると、新規登録用のＷＥＢページが表示される。この新規登録用のＷＥＢページ上で、氏名、携帯電話機の端末識別番号、利用者が決めた利用者ＩＤ等を入力し、入力データを確認した後、「登録」ボタンをクリックする。この操作により、パソコン２０から一般公開用ＷＥＢサーバ１１へ、氏名、携帯電話機の端末識別番号、利用者ＩＤ等のデータとともに利用者登録要求が送信される。
上記利用者登録要求等を受信した一般公開用ＷＥＢサーバ１１は、パソコン２０から受信した氏名、携帯電話機の端末識別番号、利用者ＩＤ等のデータを登録・認証サーバ１３へ送る。登録・認証サーバ１３では、利用者ＩＤと組み合わせて用いるパスワードを生成して発行する。この登録・認証サーバ１３で生成したパスワードは、上記氏名、携帯電話機の端末識別番号、利用者ＩＤ等のデータとともに利用者情報ＤＢサーバ１４へ送られ、互いに関連付けられて登録・保存される。
上記利用者ＩＤ、パスワード等の登録が完了すると、登録・認証サーバ１３から一般公開用ＷＥＢサーバ１１へ登録完了情報が送られ、更に一般公開用ＷＥＢサーバ１１から利用者のパソコン２０へ登録完了情報が送られる。この登録完了情報には、図５に示すように携帯電話機３０を用いてパスワードを取得・確認する手順に関する情報が含まれている。
【００２３】
上記登録完了情報を受け取った利用者がパスワードを取得・確認するときは、図５に示すように、携帯電話機３０を操作して所定のパスワード確認画面を表示させる。そして、上記登録時に入力したものと同じ利用者ＩＤを入力し、「ログイン」ボタンをクリックし、更に「情報変更／利用停止」ボタンをクリックする。この操作により、携帯電話機３０から携帯電話機用ＷＥＢサーバ１２へ、利用者ＩＤ及び携帯電話機の端末識別番号とともにパスワード取得要求が送信される。この利用者ＩＤが携帯電話機用ＷＥＢサーバ１２から登録・認証サーバ１３へ送られると、利用者情報ＤＢサーバ１４において利用者ＩＤに対応するパスワードが読み出される。読み出されたパスワードは他の登録情報のデータとともに、登録・認証サーバ１３から携帯電話機用ＷＥＢサーバ１２へ送られ、更に携帯電話機用ＷＥＢサーバ１２から携帯電話機３０へ送信される。
【００２４】
上記パスワードを取得・確認した利用者が上記サービスを利用するときは、パソコン２０を操作して前述の図４のログイン画面を表示させる。そして、利用者ＩＤ及びパスワードを入力し、「ログイン」ボタンをクリックする。この操作により、パソコン２０から一般公開用ＷＥＢサーバ１１へ、利用者が入力した利用者ＩＤ及びパスワードとともに認証処理要求が送信される。この認証処理要求を受信した一般公開用ＷＥＢサーバ１１から登録・認証サーバ１３へ利用者ＩＤ及びパスワードが送られると、利用者情報ＤＢサーバ１４において利用者ＩＤに対応するパスワードが読み出される。そして、登録・認証サーバ１３において読み出されたパスワードと利用者のパソコン２０から受信したパスワードとが一致するか否かが判断される。このパスワードが一致している場合は、利用者が本人であると認証される。これにより、利用者は前述のように利用料金の確認、各種契約内容の変更、便利なスケジューラ、メールマガジン、各種キャンペーン情報の提供などのほか、本発明に係るメニュー情報の登録・編集のサービスを受けることができるようになる。
【００２５】
以上の認証処理により、携帯電話機３０の端末識別番号の情報に基づいて利用者本人のみが自分のパスワードを取得することができるようになるので、第三者によるパスワードの不正取得の可能性が極めて低くなり、「なりすまし」を防止した信頼性の高い本人認証が可能になる。しかも、利用者が自分の携帯電話機３０から携帯電話通信網５０を介してオンラインで自分のパスワードを取得して確認することができるため、パスワードを郵送等で取得する場合に比して、パスワード取得のための時間的ロスが少ない。また、第三者による不正取得が困難な信頼性の高い方法で登録されたパスワードを用いてサービス利用開始を許可することができるので、特定の利用者に対してサービスを提供するときのセキュリティを高めることができる。
なお、本実施形態においては、携帯電話機３０だけを用いてパスワードの取得・確認を行っているが、携帯電話通信網５０内で使用されるメッセージ通信システムであるＳＭＳ（ショート・メッセージング・サービス）を利用して、パソコン２０と携帯電話機３０とを連携させてパスワードの取得・確認を行うようにしてもよい。この場合は、図６に示すようにメニュー情報管理システム１０内に携帯電話機用ＳＭＳサーバ１６を設ける。
【００２６】
また、図７のシーケンス図に示すように、パソコン２０を用いずに携帯電話機３０から利用者ＩＤとパスワードを直接入力して利用者登録を行ってもよい。この場合は、まず、利用者が上記サービスを受けるための新規利用者登録（新規会員登録）を行うときは、携帯電話機３０からログインのＷＥＢページにアクセスし、このＷＥＢページ上で「新規会員登録」のボタンをクリックすると、新規登録用のＷＥＢページが表示される。この新規登録用のＷＥＢページ上で、氏名、携帯電話機の端末識別番号、利用者が決めた利用者ＩＤ及びパスワード等を入力し、入力データを確認した後、「登録」ボタンをクリックする。この操作により、携帯電話機３０から携帯電話機用ＷＥＢサーバ１２へ、氏名、携帯電話機の端末識別番号、利用者ＩＤ等のデータとともに利用者登録要求が送信される。
上記利用者登録要求等を受信した携帯電話機用ＷＥＢサーバ１２は、携帯電話機３０から受信した氏名、携帯電話機の端末識別番号、利用者ＩＤ、パスワード等のデータを登録・認証サーバ１３へ送る。この携帯電話機３０から受信した氏名、携帯電話機の端末識別番号、利用者ＩＤ、パスワード等のデータは利用者情報ＤＢサーバ１４へ送られ、互いに関連付けられて登録・保存される。
上記利用者ＩＤ、パスワード等の登録が完了すると、登録・認証サーバ１３から携帯電話機用ＷＥＢサーバ１２へ登録完了情報が送られ、更に携帯電話機用ＷＥＢサーバ１２から利用者の携帯電話機３０へ登録完了情報が送られる。
なお、図６の例において利用者がパスワードを忘れた場合は、前述の方法により利用者本人のみが自分のパスワードを確認できるようにすることができる。
【００２７】
また、図８のシーケンス図に示すように、パソコン２０と携帯電話機３０とを連携させて利用者登録を行うようにしてもよい。この場合は、まず、利用者が上記サービスを受けるための新規利用者登録（新規会員登録）を行うときは、パソコン２０から図４のログインのＷＥＢページにアクセスし、このＷＥＢページ上で「新規会員登録はこちら」のボタンをクリックすると、新規登録用のＷＥＢページが表示される。この新規登録用のＷＥＢページ上で、氏名、携帯電話機の端末識別番号、利用者が決めた利用者ＩＤ等を入力し、入力データを確認した後、「登録」ボタンをクリックする。この操作により、パソコン２０から一般公開用ＷＥＢサーバ１１へ、氏名、携帯電話機の端末識別番号、利用者ＩＤ等のデータとともに利用者登録要求が送信される。
上記利用者登録要求等を受信した一般公開用ＷＥＢサーバ１１は、パソコン２０から受信した氏名、携帯電話機の端末識別番号、利用者ＩＤ等のデータを登録・認証サーバ１３へ送る。登録・認証サーバ１３では、利用者ＩＤと組み合わせて用いるパスワードを生成して発行する。この登録・認証サーバ１３で生成したパスワードは、上記氏名、携帯電話機の端末識別番号、利用者ＩＤ等のデータとともに利用者情報ＤＢサーバ１４へ送られ、互いに関連付けられて登録・保存される。
上記利用者ＩＤ、パスワード等の登録が完了すると、登録・認証サーバ１３から一般公開用ＷＥＢサーバ１１へ登録完了情報が送られ、更に一般公開用ＷＥＢサーバ１１から利用者のパソコン２０へ登録完了情報が送られる。
また、上記登録完了情報のパソコン２０への送信とともに、上記発行されて登録されたパスワードが利用者本人の携帯電話機３０へＳＭＳで送信される。
なお、この例の場合も、利用者がパスワードを忘れた場合は、前述の方法により利用者本人のみが自分のパスワードを確認できるようにすることができる。
【００２８】
次に、上記本人確認の認証処理が完了した後に、携帯電話機３０のメニュー情報をパソコン２０から登録・編集するときの処理について説明する。
図９は、上記本人確認の認証処理が完了した後に、携帯電話機３０のメニュー情報をパソコン２０から登録・編集するときの処理の一例を示すシーケンス図である。まず、前述のログイン操作で本人確認の認証処理が完了した後、パソコン２０上で「ＭＹコンテンツリスト」を選択すると、図１０に示す利用者専用のコンテンツリストを作成するためのＷＥＢページが表示される。
次に、「コンテンツガイドでリスト作成」を選択すると、図１１に示すコンテンツガイドのＷＥＢページが表示される。このコンテンツガイドのＷＥＢページ上で、例えばコンテンツ分類項目の「ケータイゲーム」を選択すると、図１２に示す現在利用可能なゲームアプリケーションプログラム（以下、「ゲームアプリ」という。）のコンテンツの検索結果一覧が表示される。
次に、図１２のゲームアプリの中にコンテンツメニュー情報に登録したいものがあるときは、その欄の右側にある「ＭＹコンテンツリストへ登録」のボタンをクリックする。利用者が登録したいコンテンツについて登録処理が完了したら、コンテンツガイドのＷＥＢページの表示を終了する。
次に、上記図１０に示す利用者専用のコンテンツリストを作成するためのＷＥＢページに戻り、「リスト編集はこちら」のボタンをクリックすると、図１３に示すコンテンツリストの登録・編集のＷＥＢページが表示される。このコンテンツリストの登録・編集のＷＥＢページで、必要に応じてコンテンツリストの編集を行い、「編集を終了」のボタンをクリックする。すると、利用者が選択したコンテンツに関するコンテンツ選択情報が端末識別番号とともに、インターネット２０を介して一般公開用ＷＥＢサーバ１１へ送信される。一般公開用ＷＥＢサーバ１１で受けたコンテンツ選択情報及び端末識別番号は、登録・認証サーバ１３を経由してメニュー情報DBサーバ１５へ転送される。
次に、メニュー情報DBサーバ１５において、コンテンツ選択情報及び端末識別番号に基づいて、利用者が選択したメニュー情報が端末識別番号に関連付けられて登録される。登録処理が完了すると、メニュー情報DBサーバ１５から登録・認証サーバ１３を経由して一般公開用ＷＥＢサーバ１１に登録完了通知情報が送信され、利用者のパソコン２０の画面上に、登録完了通知のメッセージが表示される。
以上の処理により、パソコン２０のＷＥＢブラウザーの画面から、利用者の携帯電話機３０で使用するコンテンツメニュー情報をメニュー情報DBサーバ１５に登録することができる。
【００２９】
以上、本実施形態によれば、複数の携帯電話機３０で使用するコンテンツメニュー情報を、携帯電話通信網５０に設けたメニュー情報ＤＢサーバ１５で一元的に管理することができるので、各携帯電話機で使用するコンテンツメニュー情報に共通する修正部分（例えばリンクＵＲＬ情報の修正）が生じた場合には、利用者側での操作を行うことなく、各コンテンツメニュー情報の修正部分を一括して修正することができる。しかも、利用者による携帯電話機３０の利用形態に合わせて独自に設定したコンテンツメニュー情報を、その利用者の携帯電話機３０に呼び出しメニュー画面に表示して使用することができるので、メニュー画面を介して携帯電話機３０のコンテンツアクセス機能を利用するときの操作性が向上する。
特に、操作性に優れたパソコン２０から汎用性の高いインターネット４０を介して、セキュリティを確保しつつ、メニュー情報ＤＢサーバ１５のメニュー情報データベースに追加コンテンツメニュー情報を登録したり、同メニュー情報データベースに登録されているコンテンツメニュー情報を編集したりすることができる。
また特に、利用者のパソコン２０のコンテンツガイドのＷＥＢページ上に、特定のコンテンツ群のタイトルを一覧表示することにより、そのコンテンツ群の中から、利用者にコンテンツメニュー情報として選択するように促すことができる。
【００３０】
なお、上記実施形態では、コンテンツガイドのＷＥＢページから登録対象のコンテンツを選択しているが、図１５に示すようにチャート診断を用いて利用者の属性を判断し、利用者の属性に合致したお薦めのコンテンツ群を表示し、その中から登録対象のコンテンツを選択するようにしてもよい。この場合は、パソコン２０において、診断テスト画面データに基づいて表示した診断テスト画面（診断チャート）から、利用者の属性の診断に用いる属性診断データを入力する。例えば、図１６に示すように、（１）職業、（２）ビジネス利用か否か、（３）性別等の質問事項を問い合わせる診断テスト画面から、それらの回答を属性診断データとして入力する。この属性診断データに基づいて利用者の属性（例えば、カレッジ、ビジネス、レディース、その他）を決定して利用者を分類する。更に、上記診断テスト画面（診断チャート）での回答（属性診断データ）から「アクティブ」、「スキルアップ」、「ホームエンタメ」、「夜遊び系」等に再分類する。これらの利用者の分類結果に基づいて、利用者の属性に合致するコンテンツ群、すなわちその利用者が選択する可能性が高いコンテンツ群やその利用者にふさわしいコンテンツ群のタイトルを一覧表示するためのコンテンツ一覧情報を作成し、パソコン２０に送信する。このコンテンツ一覧情報を受信したパソコン２０に、その利用者の属性に合致したコンテンツ群が表示されるため、利用者が選択する可能性が高いコンテンツ群や利用者にふさわしいコンテンツ群の中から、コンテンツメニュー情報に登録するコンテンツを選択することができる。利用者によるコンテンツ選択作業の効率が向上する。ここで、利用者の分類結果に加えて、利用者情報ＤＢサーバ１３の利用者総合データベースから取得したその利用者に関する利用者情報を用いてもよい。この場合は、利用者が選択する可能性が高いコンテンツ群をさらに高い精度で作成することができる。
【００３１】
また、図１７に示すように、パソコン２０に人気コンテンツランキングすなわちネットワーク上で提供されているコンテンツ群のタイトルを利用回数順に並べて一覧表示し、その中から登録対象のコンテンツを選択するようにしてもよい。この場合は、多数の利用者の間で人気の高いコンテンツのタイトル情報とリンク情報とを含むをコンテンツメニュー情報を簡易に選択して登録できる。ここで、利用者の属性別に人気コンテンツランキングを表示してもよい。この場合は、利用者が選択する可能性が高いコンテンツ群の範囲内で人気の高いコンテンツのタイトル及びリンク情報を含むコンテンツメニュー情報を簡易に選択して登録できる。
【００３２】
また、上記実施形態では、パソコン２０からコンテンツメニュー情報を登録したり編集したりしているが、このコンテンツメニュー情報の登録・編集を、携帯電話通信網５０上でセキュリティが確保されている携帯電話機３０から直接行うようにしてもよい。この場合は、上記パソコン２０からインターネット４０を介して行う場合に必要な本人認証処理が不要になる。
また、コンテンツ提供サイトへ接続するためのリンク情報が変わったときに、その携帯電話機３０についてメニュー情報ＤＢサーバ１５のメニュー情報データベースに保存されているコンテンツメニュー情報におけるリンク情報が自動的に修正されるようにしてもよい。この場合は、コンテンツ提供サイトへ接続するためのリンク情報が変わったときでも、当該コンテンツ提供サイトへ確実に接続できるようになる。
また、利用者の携帯電話機３０の現在位置が変わったときに、その携帯電話機について保存されているコンテンツメニュー情報が、その現在位置に関連したメニュー情報に自動修正するようにしてもよい。この場合は、現在位置に対応したコンテンツメニュー情報の表示が可能になる。
【００３３】
また、上記実施形態では、携帯電話機３０からコンテンツ提供サイトにアクセスするときに用いるコンテンツメニュー情報を管理する場合について説明したが、本発明は、携帯電話機３０で用いるコンテンツメニュー情報以外のメニュー情報を管理する場合についても同様に適用できるものである。また、本発明は、携帯電話機以外の移動体通信端末についても同様に適用できるものである。
【図面の簡単な説明】
【００３４】
【図１】本発明の実施形態に係るメニュー情報管理方法を実現するための全体システムを示す概念図。
【図２】コンテンツメニュー情報のダウンロード処理の一例を示すシーケンス図。
【図３】メニュー情報管理システムを用いた利用者登録処理、パスワード取得処理及びサービス利用開始処理の一例を示すシーケンス図。
【図４】ログインのＷＥＢページの説明図。
【図５】登録完了通知のＷＥＢページの説明図。
【図６】携帯電話機のＳＭＳを利用して利用者がパスワードを取得する場合の全体システムを示す概念図。
【図７】変形例に係る利用者登録処理の一例を示すシーケンス図。
【図８】他の変形例に係る利用者登録処理の一例を示すシーケンス図。
【図９】コンテンツガイドに基づいてパソコンからコンテンツメニュー情報を新規登録・編集するときの処理の一例を示すシーケンス図。
【図１０】コンテンツリストの新規登録・編集のＷＥＢページの説明図。
【図１１】コンテンツガイドのＷＥＢページの説明図。
【図１２】コンテンツ紹介のＷＥＢページの説明図。
【図１３】コンテンツリストの編集用のＷＥＢページの説明図。
【図１４】携帯電話機に表示したコンテンツメニュー画面の一例を示す説明図。
【図１５】チャート診断に基づいてパソコンからコンテンツメニュー情報を作成するときの処理の一例を示すシーケンス図。
【図１６】チャート診断における利用者属性の判定手順の一例を示す説明図。
【図１７】人気コンテンツランキング情報に基づいてパソコンからコンテンツメニュー情報を作成するときの処理の一例を示すシーケンス図。
【符号の説明】
【００３５】
１０    認証支援サーバ
１１    一般公開用ＷＥＢサーバ
１２    携帯電話機用ＷＥＢサーバ
１３    登録・認証サーバ
１４    利用者情報ＤＢサーバ
１５    コンテンツメニューサーバ
１６    携帯電話機用ＳＭＳサーバ
２０    パソコン
３０    携帯電話機
４０    インターネット
５０    携帯電話通信網
【図１】
2008109704.tif 000003
【図２】
2008109704.tif 000004
【図３】
2008109704.tif 000005
【図４】
2008109704.tif 000006
【図５】
2008109704.tif 000007
【図６】
2008109704.tif 000008
【図７】
2008109704.tif 000009
【図８】
2008109704.tif 000010
【図９】
2008109704.tif 000011
【図１０】
2008109704.tif 000012
【図１１】
2008109704.tif 000013
【図１２】
2008109704.tif 000014
【図１３】
2008109704.tif 000015
【図１４】
2008109704.tif 000016
【図１５】
2008109704.tif 000017
【図１６】
2008109704.tif 000018
【図１７】
2008109704.tif 000019
【手続補正書】
【提出日】平成20年1月21日(2008.1.21)
【手続補正１】
【補正対象書類名】特許請求の範囲
【補正対象項目名】全文
【補正方法】変更
【補正の内容】
【特許請求の範囲】
【請求項１】
複数の移動体通信端末のメニュー画面に表示するメニュー情報を管理するメニュー情報管理方法であって、
複数の移動体通信端末の利用者について、該利用者の本人確認に用いる本人認証用情報と該移動体通信端末の端末識別情報とを互いに関連付けて、移動体通信ネットワーク上の利用者情報データベースに登録するステップと、
複数の移動体通信端末について、該移動体通信端末で使用するメニュー情報と該移動体通信端末の端末識別情報とを互いに関連付けて、移動体通信ネットワーク上のメニュー情報データベースに登録するステップと、
移動体通信ネットワークを介して移動体通信端末から、メニュー情報の取得を要求するメニュー情報取得要求と該移動体通信端末の端末識別情報とを受信するステップと、
上記移動体通信端末から受信した端末識別情報に基づいて上記利用者情報データベースを参照して認証処理を行うステップと、
上記認証処理が完了した後に、上記メニュー情報取得要求を送信してきた移動体通信端末に対応するメニュー情報を上記メニュー情報データベースから読み出し、移動体通信ネットワークを介して該移動体通信端末に送信するステップとを有することを特徴とするメニュー情報管理方法。
【請求項２】
請求項１のメニュー情報管理方法において、
移動体通信端末の利用者の本人確認に用いる本人認証用情報を、インターネットを介して情報通信端末から受信するステップと、
上記本人認証用情報に基づいて上記利用者情報データベースを参照し上記移動体通信端末の利用者本人か否かを確認するための認証処理を実行するステップと、
上記移動体通信端末のメニュー画面に追加して表示する追加メニュー情報と上記移動体通信端末の端末識別情報とを、インターネットを介して上記情報通信端末から受信するステップと、
上記認証処理で上記移動体通信端末の利用者本人であることが確認された場合にのみ、上記追加メニュー情報を該移動体通信端末の端末識別情報と関連付けて上記メニュー情報データベースに登録するステップとを有することを特徴とするメニュー情報管理方法。
【請求項３】
請求項１のメニュー情報管理方法において、
移動体通信端末の利用者の本人確認に用いる本人認証用情報を、インターネットを介して情報通信端末から受信するステップと、
上記本人認証用情報に基づいて上記利用者情報データベースを参照し上記移動体通信端末の利用者本人か否かを確認するための認証処理を実行するステップと、
上記移動体通信端末のメニュー画面に表示するメニュー情報を編集するための編集内容と上記移動体通信端末の端末識別情報とを、インターネットを介して上記情報通信端末から受信するステップと、
上記認証処理で上記移動体通信端末の利用者本人であることが確認された場合にのみ、上記編集内容に基づいて、上記メニュー情報データベースに該移動体通信端末の端末識別情報と関連付けて登録されている該移動体通信端末に対応するメニュー情報を編集するステップとを有することを特徴とするメニュー情報管理方法。
【請求項４】
請求項１のメニュー情報管理方法において、
移動体通信端末のメニュー画面に追加して表示する追加メニュー情報と該移動体通信端末の端末識別情報とを、移動体通信ネットワークを介して該移動体通信端末から受信するステップと、
上記移動体通信端末から受信した端末識別情報に基づいて上記利用者情報データベースを参照して認証処理を行うステップと、
上記認証処理が完了した後に、上記追加メニュー情報を上記移動体通信端末の端末識別情報と関連付けて上記メニュー情報データベースに登録するステップとを有することを特徴とするメニュー情報管理方法。
【請求項５】
請求項１のメニュー情報管理方法において、
移動体通信端末のメニュー画面に表示するメニュー情報を編集するための編集内容と上記移動体通信端末の端末識別情報とを、移動体通信ネットワークを介して該移動体通信端末から受信するステップと、
上記移動体通信端末から受信した端末識別情報に基づいて上記利用者情報データベースを参照して認証処理を行うステップと、
上記認証処理が完了した後に、上記編集内容に基づいて、上記メニュー情報データベースに上記移動体通信端末の端末識別情報と関連付けて登録されている該移動体通信端末に対応するメニュー情報を編集するステップとを有することを特徴とするメニュー情報管理方法。
【請求項６】
請求項２乃至５のいずれかのメニュー情報管理方法において、
上記メニュー情報は、上記通信ネットワーク上で提供されているコンテンツのタイトル情報と該コンテンツを提供しているコンテンツ提供サイトへ上記移動体通信端末から接続するためのリンク情報とを含むコンテンツメニュー情報であり、
上記情報通信端末又は上記移動体通信端末に、上記利用者の属性の診断に用いる属性診断データを入力するための診断テスト画面データを送信するステップと、
上記情報通信端末又は上記移動体通信端末から、上記利用者が入力した上記属性診断データを受信するステップと、
上記属性診断データに基づいて、上記利用者の属性を決定して該利用者を分類するステップと、
上記利用者の分類結果に基づいて、該利用者の属性に合致するコンテンツ群のタイトルを一覧表示するためのコンテンツ一覧情報を作成するステップと、
上記情報通信端末又は上記移動体通信端末に、上記コンテンツ一覧情報を送信するステップと、
上記情報通信端末又は上記移動体通信端末から、上記利用者が上記コンテンツ群から選択したコンテンツ選択情報を受信するステップと、
上記コンテンツ選択情報に基づいて作成したコンテンツメニュー情報を、上記識別情報と関連付けて上記メニュー情報データベースに登録するステップとを有することを特徴とするメニュー情報管理方法。
【請求項７】
請求項６のメニュー情報管理方法において、
上記移動体通信ネットワーク上の移動体通信端末の利用者情報を登録している利用者総合データベースから、上記属性診断データを送信してきた移動体通信端末の利用者に関する利用者情報を取得するステップを有し、
上記コンテンツ一覧情報の作成を、上記利用者の分類結果と上記利用者情報とに基づいて行うことを特徴とするメニュー情報管理方法。
【請求項８】
請求項２乃至５のいずれかのメニュー情報管理方法において、
上記メニュー情報は、上記通信ネットワーク上で提供されているコンテンツのタイトル情報と該コンテンツを提供しているコンテンツ提供サイトへ上記移動体通信端末から接続するためのリンク情報とを含むコンテンツメニュー情報であり、
上記情報通信端末又は上記移動体通信端末に、上記利用者が選択可能なコンテンツ群のタイトルを一覧表示するためのコンテンツガイド情報を送信するステップと、
上記情報通信端末又は上記移動体通信端末から、上記利用者が上記コンテンツ群から選択したコンテンツ選択情報を受信するステップと、
上記コンテンツ選択情報に基づいて作成したコンテンツメニュー情報を、上記識別情報と関連付けて上記メニュー情報データベースに登録するステップとを有することを特徴とするメニュー情報管理方法。
【請求項９】
請求項２乃至５のいずれかのメニュー情報管理方法において、
上記メニュー情報は、上記通信ネットワーク上で提供されているコンテンツのタイトル情報と該コンテンツを提供しているコンテンツ提供サイトへ上記移動体通信端末から接続するためのリンク情報とを含むコンテンツメニュー情報であり、
上記情報通信端末又は上記移動体通信端末に、上記ネットワーク上で提供されているコンテンツ群のタイトルを利用回数順に並べたコンテンツランキング情報を送信するステップと、
上記情報通信端末又は上記移動体通信端末から、上記利用者が上記コンテンツ群から選択したコンテンツ選択情報を受信するステップと、
上記コンテンツ選択情報に基づいて作成したコンテンツメニュー情報を、上記識別情報と関連付けて上記メニュー情報データベースに登録するステップとを有することを特徴とするメニュー情報管理方法。
【請求項１０】
請求項９のメニュー情報管理方法において、
上記コンテンツランキング情報は、上記移動体通信端末の利用者の属性別に上記コンテンツ群のタイトルを利用回数順に並べたものであることを特徴とするメニュー情報管理方法。
【請求項１１】
請求項１乃至１０のいずれかのメニュー情報管理方法において、
上記メニュー情報は、上記通信ネットワーク上で提供されているコンテンツのタイトル情報と該コンテンツを提供しているコンテンツ提供サイトへ接続するためのリンク情報とを含むコンテンツメニュー情報であり、
上記リンク情報の変更に関するリンク変更情報を受信するステップと、
上記リンク変更情報に基づいて、上記メニュー情報データベースに登録されている上記コンテンツメニュー情報における上記リンク情報を修正するステップとを有することを特徴とするメニュー情報管理方法。
【請求項１２】
複数の移動体通信端末のメニュー画面に表示するメニュー情報を管理するメニュー情報管理システムであって、
複数の移動体通信端末の利用者について、該利用者の本人確認に用いる本人認証用情報と該移動体通信端末の端末識別情報とが互いに関連付けて登録された、移動体通信ネットワーク上の利用者情報データベースと、
複数の移動体通信端末について、該移動体通信端末で使用するメニュー情報と該移動体通信端末の端末識別情報とが互いに関連付けて登録された、移動体通信ネットワーク上のメニュー情報データベースと、
移動体通信ネットワークを介して移動体通信端末から、メニュー情報の取得を要求するメニュー情報取得要求と該移動体通信端末の端末識別情報とを受信する手段と、
上記移動体通信端末から受信した端末識別情報に基づいて上記利用者情報データベースを参照して認証処理を行う手段と、
上記認証処理が完了した後に、上記メニュー情報取得要求を送信してきた移動体通信端末に対応するメニュー情報を上記メニュー情報データベースから読み出し、移動体通信ネットワークを介して該移動体通信端末に送信する手段とを備えたことを特徴とするメニュー情報管理システム。
【手続補正３】
【補正対象書類名】明細書
【補正対象項目名】０００１
【補正方法】変更
【補正の内容】
【０００１】
本発明は、携帯電話機等の移動体通信端末のメニュー画面に表示するメニュー情報を管理するメニュー情報管理方法及びそのシステムに関するものである。
【手続補正４】
【補正対象書類名】明細書
【補正対象項目名】０００４
【補正方法】変更
【補正の内容】
【０００４】
本発明は以上の問題点に鑑みなされたものである。その目的は、メニュー画面を介して移動体通信端末の各種機能を利用する場合の操作性の向上を図ることができるメニュー情報管理方法及びそのシステムを提供することである。
【手続補正５】
【補正対象書類名】明細書
【補正対象項目名】０００５
【補正方法】変更
【補正の内容】
【０００５】
上記目的を達成するために、請求項１の発明は、複数の移動体通信端末のメニュー画面に表示するメニュー情報を管理するメニュー情報管理方法であって、複数の移動体通信端末の利用者について、該利用者の本人確認に用いる本人認証用情報と該移動体通信端末の端末識別情報とを互いに関連付けて、移動体通信ネットワーク上の利用者情報データベースに登録するステップと、複数の移動体通信端末について、該移動体通信端末で使用するメニュー情報と該移動体通信端末の端末識別情報とを互いに関連付けて、移動体通信ネットワーク上のメニュー情報データベースに登録するステップと、移動体通信ネットワークを介して移動体通信端末から、メニュー情報の取得を要求するメニュー情報取得要求と該移動体通信端末の端末識別情報とを受信するステップと、上記移動体通信端末から受信した端末識別情報に基づいて上記利用者情報データベースを参照して認証処理を行うステップと、上記認証処理が完了した後に、上記メニュー情報取得要求を送信してきた移動体通信端末に対応するメニュー情報を上記メニュー情報データベースから読み出し、移動体通信ネットワークを介して該移動体通信端末に送信するステップとを有することを特徴とするものである。
このメニュー情報管理方法では、複数の移動体通信端末で使用するメニュー情報を、移動体通信ネットワーク上のメニュー情報データベースに登録することにより、移動体通信ネットワーク側で一元的に管理することができる。また、このメニュー情報の登録は、利用者ごとに又はその利用者が使用する移動体通信端末ごとに行うので、利用者による移動体通信端末の利用形態に合わせて独自に設定したメニュー情報を登録することができる。更に、移動体通信端末から任意のタイミングでメニュー情報取得要求と当該移動体通信端末の端末識別情報とを送信すると、その移動体通信端末から受信した端末識別情報に基づいて上記利用者情報データベースを参照して認証処理が行われ、その認証処理が完了した後に、移動体通信端末で使用するメニュー情報がメニュー情報データベースから読み出され、移動体通信ネットワークを介して移動体通信端末に送信される。このメニュー情報データベースからのメニュー情報を移動体通信端末で受信し、メニュー画面に表示して使用することができる。
【手続補正６】
【補正対象書類名】明細書
【補正対象項目名】０００６
【補正方法】変更
【補正の内容】
【０００６】
また、請求項２の発明は、請求項１のメニュー情報管理方法において、移動体通信端末の利用者の本人確認に用いる本人認証用情報を、インターネットを介して情報通信端末から受信するステップと、上記本人認証用情報に基づいて上記利用者情報データベースを参照し上記移動体通信端末の利用者本人か否かを確認するための認証処理を実行するステップと、上記移動体通信端末のメニュー画面に追加して表示する追加メニュー情報と上記移動体通信端末の端末識別情報とを、インターネットを介して上記情報通信端末から受信するステップと、上記認証処理で上記移動体通信端末の利用者本人であることが確認された場合にのみ、上記追加メニュー情報を該移動体通信端末の端末識別情報と関連付けて上記メニュー情報データベースに登録するステップとを有することを特徴とするものである。
このメニュー情報管理方法では、情報通信端末からインターネットを介して送信されてきた本人認証用情報に基づいて移動体通信端末の利用者本人であるか否かを確認する認証処理を行う。この認証処理で上記移動体通信端末の利用者本人であることが確認された場合にのみ、上記情報通信端末から送信されてきた追加メニュー情報を、その移動体通信端末の端末識別情報と関連付けてメニュー情報データベースに登録する。
【手続補正７】
【補正対象書類名】明細書
【補正対象項目名】０００７
【補正方法】変更
【補正の内容】
【０００７】
また、請求項３の発明は、請求項１のメニュー情報管理方法において、移動体通信端末の利用者の本人確認に用いる本人認証用情報を、インターネットを介して情報通信端末から受信するステップと、上記本人認証用情報に基づいて上記利用者情報データベースを参照し上記移動体通信端末の利用者本人か否かを確認するための認証処理を実行するステップと、上記移動体通信端末のメニュー画面に表示するメニュー情報を編集するための編集内容と上記移動体通信端末の端末識別情報とを、インターネットを介して上記情報通信端末から受信するステップと、上記認証処理で上記移動体通信端末の利用者本人であることが確認された場合にのみ、上記編集内容に基づいて、上記メニュー情報データベースに該移動体通信端末の端末識別情報と関連付けて登録されている該移動体通信端末に対応するメニュー情報を編集するステップとを有することを特徴とするものである。
このメニュー情報管理方法では、上記認証処理で上記移動体通信端末の利用者本人であることが確認された場合にのみ、上記情報通信端末から送信されてきた編集内容に基づいて、メニュー情報データベースに当該移動体通信端末の端末識別情報と関連付けて登録されている、その移動体通信端末に対応するメニュー情報を編集する。
【手続補正８】
【補正対象書類名】明細書
【補正対象項目名】０００８
【補正方法】変更
【補正の内容】
【０００８】
また、請求項４の発明は、請求項１のメニュー情報管理方法において、移動体通信端末のメニュー画面に追加して表示する追加メニュー情報と該移動体通信端末の端末識別情報とを、移動体通信ネットワークを介して該移動体通信端末から受信するステップと、上記移動体通信端末から受信した端末識別情報に基づいて上記利用者情報データベースを参照して認証処理を行うステップと、上記認証処理が完了した後に、上記追加メニュー情報を上記移動体通信端末の端末識別情報と関連付けて上記メニュー情報データベースに登録するステップとを有することを特徴とするものである。
このメニュー情報管理方法では、セキュリティが確保されている移動体通信端末から移動体通信ネットワークを介して受信した端末識別情報に基づいて上記利用者情報データベースを参照して認証処理を行い、その認証処理が完了した後に、当該移動体通信端末から移動体通信ネットワークを介して送信されてきた追加メニュー情報を、その移動体通信端末に対応する当該移動体通信端末の端末識別情報と関連付けてメニュー情報データベースに登録する。
【手続補正９】
【補正対象書類名】明細書
【補正対象項目名】０００９
【補正方法】変更
【補正の内容】
【０００９】
また、請求項５の発明は、請求項１のメニュー情報管理方法において、移動体通信端末のメニュー画面に表示するメニュー情報を編集するための編集内容と上記移動体通信端末の端末識別情報とを、移動体通信ネットワークを介して該移動体通信端末から受信するステップと、上記移動体通信端末から受信した端末識別情報に基づいて上記利用者情報データベースを参照して認証処理を行うステップと、上記認証処理が完了した後に、上記編集内容に基づいて、上記メニュー情報データベースに上記移動体通信端末の端末識別情報と関連付けて登録されている該移動体通信端末に対応するメニュー情報を編集するステップとを有することを特徴とするものである。
このメニュー情報管理方法では、セキュリティが確保されている移動体通信端末から移動体通信ネットワークを介して受信した端末識別情報に基づいて上記利用者情報データベースを参照して認証処理を行い、その認証処理が完了した後に、当該移動体通信端末から移動体通信ネットワークを介して送信されてきた編集内容に基づいて、メニュー情報データベースに当該移動体通信端末の端末識別情報と関連付けて登録されている、その移動体通信端末に対応するメニュー情報を編集する。
【手続補正１０】
【補正対象書類名】明細書
【補正対象項目名】００１５
【補正方法】変更
【補正の内容】
【００１５】
また、請求項１２の発明は、複数の移動体通信端末のメニュー画面に表示するメニュー情報を管理するメニュー情報管理システムであって、複数の移動体通信端末の利用者について、該利用者の本人確認に用いる本人認証用情報と該移動体通信端末の端末識別情報とが互いに関連付けて登録された、移動体通信ネットワーク上の利用者情報データベースと、複数の移動体通信端末について、該移動体通信端末で使用するメニュー情報と該移動体通信端末の端末識別情報とが互いに関連付けて登録された、移動体通信ネットワーク上のメニュー情報データベースと、移動体通信ネットワークを介して移動体通信端末から、メニュー情報の取得を要求するメニュー情報取得要求と該移動体通信端末の端末識別情報とを受信する手段と、上記移動体通信端末から受信した端末識別情報に基づいて上記利用者情報データベースを参照して認証処理を行う手段と、上記認証処理が完了した後に、上記メニュー情報取得要求を送信してきた移動体通信端末に対応するメニュー情報を上記メニュー情報データベースから読み出し、移動体通信ネットワークを介して該移動体通信端末に送信する手段とを備えたことを特徴とするものである。
【手続補正１１】
【補正対象書類名】明細書
【補正対象項目名】００１６
【補正方法】変更
【補正の内容】
【００１６】
なお、上記「移動体通信端末」には、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機が含まれる。また、「情報通信端末」には、ＰＨＳ（Personal Handyphone System）、自動車電話等の電話機のほか、携帯電話モジュールを付加した情報通信端末も含まれる。
また、上記「情報通信端末」には、パーソナルコンピュータや携帯電話機のほか、インターネットに接続して各種サービスを受けることができる各種の端末が含まれる。
また、上記メニュー情報管理システムにおける情報処理は、そのシステムを構成するコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【手続補正１２】
【補正対象書類名】明細書
【補正対象項目名】００１７
【補正方法】変更
【補正の内容】
【００１７】
請求項１乃至１２の発明によれば、複数の移動体通信端末で使用するメニュー情報を、移動体通信ネットワーク側で一元的に管理することができるので、各移動体通信端末で使用するメニュー情報に共通する修正部分が生じた場合には、利用者側での操作を行うことなく、各メニュー情報の修正部分を一括して修正することができる。しかも、利用者による移動体通信端末の利用形態に合わせて独自に設定したメニュー情報を、その利用者の移動体通信端末に呼び出しメニュー画面に表示して使用することができるので、メニュー画面を介して移動体通信端末の各種機能を利用するときの操作性が向上する。以上のように、メニュー画面を介して移動体通信端末の各種機能を利用する場合の操作性の向上を図ることができるという効果が得られる。
特に、請求項２の発明によれば、操作性に優れたパーソナルコンピュータ等の情報通信端末から汎用性の高いインターネットを介して、セキュリティを確保しつつ、メニュー情報データベースに追加メニュー情報を登録できるという効果がある。
特に、請求項３の発明によれば、操作性に優れたパーソナルコンピュータ等の情報通信端末から汎用性の高いインターネットを介して、セキュリティを確保しつつ、メニュー情報データベースに登録されているメニュー情報を編集できるという効果がある。
特に、請求項４の発明によれば、セキュリティが確保されている移動体通信端末から移動体通信ネットワークを介して、メニュー情報データベースに追加メニュー情報を直接登録できるという効果がある。
特に、請求項５の発明によれば、セキュリティが確保されている移動体通信端末から移動体通信ネットワークを介して、メニュー情報データベースに登録されているメニュー情報を直接編集できるという効果がある。
特に、請求項６の発明によれば、利用者が選択する可能性が高いコンテンツ群や利用者にふさわしいコンテンツ群のタイトルを情報通信端末又は移動体通信端末上に一覧表示し、その中からコンテンツメニュー情報に登録するコンテンツを選択することができるので、利用者によるコンテンツ選択作業の効率が向上するという効果がある。
特に、請求項７の発明によれば、利用者の分類結果に加えて、利用者総合データベースから取得したその利用者に関する利用者情報を用いることにより、利用者が選択する可能性が高いコンテンツ群を高い精度で作成することができるという効果がある。
特に、請求項８の発明によれば、利用者の移動体通信端末又は情報通信端末に、特定のコンテンツ群のタイトルを一覧表示することにより、そのコンテンツ群の中から、利用者にコンテンツメニュー情報として選択するように促すことができるという効果がある。
特に、請求項９の発明によれば、多数の利用者の間で人気の高いコンテンツのタイトル情報とリンク情報とを含むをコンテンツメニュー情報を簡易に選択して登録できるという効果がある。
特に、請求項１０の発明によれば、利用者が選択する可能性が高いコンテンツ群の範囲内で人気の高いコンテンツのタイトル及びリンク情報を含むコンテンツメニュー情報を簡易に選択して登録できるという効果がある。
特に、請求項１１の発明によれば、コンテンツ提供サイトへ接続するためのリンク情報が変わったときでも、その移動体通信端末についてメニュー情報データベースに保存されているコンテンツメニュー情報におけるリンク情報が自動的に修正されるので、当該コンテンツ提供サイトへの接続が可能になるという効果がある。
【手続補正１３】
【補正対象書類名】明細書
【補正対象項目名】００３２
【補正方法】変更
【補正の内容】
【００３２】
また、上記実施形態では、パソコン２０からコンテンツメニュー情報を登録したり編集したりしているが、このコンテンツメニュー情報の登録・編集を、携帯電話通信網５０上でセキュリティが確保されている携帯電話機３０から直接行うようにしてもよい。この場合は、上記パソコン２０からインターネット４０を介して行う場合に必要な本人認証処理が不要になる。
また、コンテンツ提供サイトへ接続するためのリンク情報が変わったときに、その携帯電話機３０についてメニュー情報ＤＢサーバ１５のメニュー情報データベースに保存されているコンテンツメニュー情報におけるリンク情報が自動的に修正されるようにしてもよい。この場合は、コンテンツ提供サイトへ接続するためのリンク情報が変わったときでも、当該コンテンツ提供サイトへ確実に接続できるようになる。